(57)【特許請求の範囲】
【請求項１】
複数の基地局のそれぞれに対応する通信エリアで、前記基地局を介して通信を行なう移動端末機において、
現在位置の通信エリアが何れの基地局によるものであるかを示す位置情報を取得する位置情報取得手段と、
前記位置情報を格納するための位置履歴情報格納手段と、
前記位置情報取得手段によって取得された位置情報を、前記位置履歴情報格納手段に対して履歴として時系列的に順次格納する位置情報格納手段と、
特定の状況が予め割り当てられたボタンに対するボタン操作に応じて、状況・状態の情報を入力する状況・状態入力手段と、
前記状況・状態入力手段によって入力された状況・状態の情報を、前記位置履歴情報格納手段に格納された位置情報と対応付けて格納する状況・状態情報格納手段と、
前記位置履歴情報格納手段に格納された複数の位置情報と前記状況・状態情報格納手段によって格納された状況・状態の情報とを、予め設定された位置情報送出条件に応じて一括して送出する情報送出手段とを具備し、
前記情報送出手段は、前記位置情報送出条件として特定の状況・状態の情報が設定されている場合に、前記状況・状態入力手段により入力された状況・状態の情報が前記特定の状況・状態の情報と一致した場合に情報を送出することを特徴とする移動端末機。
【請求項２】
前記位置情報取得手段によって取得される位置情報は、現在の位置で通信可能な基地局を特定する識別情報と、同基地局との間の電界強度とから成ることを特徴とする請求項１記載の移動端末機。
【請求項３】
前記位置情報取得手段は、現在の位置で通信可能な基地局が複数ある場合には、それぞれの基地局に対する位置情報を取得することを特徴とする請求項２記載の移動端末機。
【請求項４】
前記位置情報格納手段は、前記位置情報に格納時刻の情報を付加して共に前記位置履歴情報格納手段に格納することを特徴とする請求項１乃至請求項３の何れかに記載の移動端末機。
【請求項５】
前記位置情報取得手段によって取得される位置情報は、現在の位置で通信可能な基地局を特定する識別情報と、同基地局との間の電界強度とを含み、
前記位置情報に格納時刻の情報を付加して前記位置履歴情報格納手段に位置情報の履歴として格納し、前記位置情報の格納時刻の変化に伴って、電界強度が強くなっている基地局が存在する場合には、その基地局の方向に移動しているものとして、移動する可能性の高い方向を算出する移動方向算出手段を具備し、
前記位置情報格納手段は、前記移動方向算出手段によって算出された移動方向を示す情報を、前記位置情報と共に位置履歴情報格納手段に格納することを特徴とする請求項１記載の移動端末機。
【請求項６】
前記位置履歴情報格納手段に格納された位置情報の履歴をもとに、現在位置の緯度経度を算出する位置算出手段を具備し、
前記位置情報格納手段は、前記位置算出手段によって算出された現在位置の緯度経度の情報を、前記位置情報と共に位置履歴情報格納手段に格納することを特徴とする請求項１記載の移動端末機。
【請求項７】
地図上の位置と住所の情報とが対応付けられて格納された地図情報格納手段と、
前記位置算出手段によって算出された現在位置と、前記地図情報格納手段によって格納された情報をもとに、現在位置の住所を算出する住所算出手段とを具備し、
前記位置情報格納手段は、前記住所算出手段によって算出された現在位置の住所の情報を、前記位置情報と共に位置履歴情報格納手段に格納することを特徴とする請求項１記載の移動端末機。
【請求項８】
前記位置情報格納手段は、予め設定された一定時間毎に、前記位置情報取得手段によって取得された位置情報を位置履歴情報格納手段に格納することを特徴とする請求項１記載の移動端末機。
【請求項９】
前記位置情報格納手段は、前記位置情報取得手段によって他の通信エリアの位置情報が取得された場合に、前記位置情報取得手段によって取得された位置情報を位置履歴情報格納手段に格納することを特徴とする請求項１記載の移動端末機。
【請求項１０】
前記位置情報格納手段によって位置情報を格納する際の位置情報格納条件を受け付ける条件受付手段と、
前記条件受付手段によって受け付けられた位置情報格納条件を格納する条件格納手段とを具備し、
前記位置情報格納手段は、前記条件格納手段に格納された位置情報格納条件に従って、前記位置情報取得手段によって取得された位置情報を前記位置履歴情報格納手段に格納することを特徴とする請求項１記載の移動端末機。
【請求項１１】
前記位置情報の送出を要求する位置情報要求を、外部から入力する位置情報送出要求受付手段と、
前記位置情報送出要求受付手段によって位置情報要求が入力された場合に、前記情報送出手段に位置情報の送出を指示する位置情報送出指示手段とを具備し、前記情報送出手段は、前記位置情報送出指示手段によって指示された場合に、位置情報を一括して送出することを特徴とする請求項１記載の移動端末機。
【請求項１２】
前記情報送出手段は、予め設定された一定時間毎に、前記位置履歴情報格納手段に格納された位置情報を一括して送出することを特徴とする請求項１記載の移動端末機。
【請求項１３】
前記位置履歴情報格納手段の空き容量を監視し、空き容量が所定値以下となった場合に、前記位置履歴情報格納手段に格納された位置情報の一部を条件に従って削除する位置情報削除手段を具備したことを特徴とする請求項１記載の移動端末機。
【請求項１４】
前記位置履歴情報格納手段の空き容量を監視し、空き容量が所定値以下となった場合に、前記位置履歴情報格納手段に格納された位置情報を圧縮して、情報量を低減させる位置情報圧縮手段を具備したことを特徴とする請求項１記載の移動端末機。
【請求項１５】
前記位置履歴情報格納手段の空き容量を監視し、空き容量が所定値以下となった場合に、前記位置履歴情報格納手段に格納された位置情報を一括して送出し、その後、位置情報を一括して削除することを具備したことを特徴とする請求項１記載の移動端末機。
【請求項１６】
前記位置履歴情報格納手段の空き容量を監視し、空き容量が所定値以下となった場合に、前記位置履歴情報格納手段に格納された位置情報を一括して他の記憶装置に格納し、その後、位置情報を一括して削除することを具備したことを特徴とする請求項１記載の移動端末機。
【請求項１７】
それぞれが通信エリア内で通信を行なう複数の基地局と、
前記基地局による通信エリア内で通信を行なうものであって、前記基地局との通信により取得される現在の位置を表す位置情報と、特定の状況が予め割り当てられたボタンに対するボタン操作により取得される現在の状況・状態を表す情報とを履歴として時系列的に順次格納しておき、予め設定された位置情報送出条件として特定の状況・状態が設定されている場合に、入力された状況・状態を表す情報が前記特定の状況・状態の情報と一致した場合に格納された情報を一括して送出する移動端末機と、
前記移動端末機によって一括して送出された位置情報と前記状況・状態の情報の履歴を取得し、前記位置情報に基づいて前記移動端末機の位置に関する演算を実行する位置情報管理システムと、
前記位置情報管理システムによる演算で得られた結果と前記状況・状態の情報を取得して、前記移動端末の位置と前記移動端末から送出された状況・状態の情報をもとに前記移動端末の特定の状況に関する表示を行なう情報処理装置とを具備したことを特徴とする位置情報検索システム。
【発明の詳細な説明】
【０００１】
【発明の属する技術分野】
本発明は、移動端末機の位置を遠隔地から確認する位置情報検索システム、及びそのシステムで用いられる移動端末機に関する。
【０００２】
【従来の技術】
近年では、ＰＨＳ（personal  handyphone  system）の無線通信インフラの整備によって、通常の音声による通話だけでなく、小ゾーン制であることを利用して、端末機の位置を遠隔地の情報処理装置からの要求によって検索する位置情報検索システムが考えられている。
【０００３】
すなわち、ＰＨＳの端末機の出力が１０ｍＷ程度であり、また基地局の出力が２０ｍＷ程度であるため、基地局と移動端末機との通信可能な距離が約１００ｍ以内であり、ＰＨＳのシステムが各端末機が何れの基地局の通信エリア（ゾーン）に存在するかが認識されているので、検索対象とする端末機が存在する通信エリア（ゾーン）の基地局の位置を取得することで、そのゾーン内、つまり基地局の設置場所（この設置場所は既知）から１００ｍ以内にいると特定できる。
【０００４】
従来の小ゾーンを利用した位置情報検索システムは、次のようにして所望する位置情報、すなわち検索対象とする端末機が存在する基地局の位置を取得する。
まず、情報処理装置から位置情報検索の要求があるとセンター局において、対象となる移動端末機のＰＨＳ番号をオートダイアルする。すると、交換局などを経由して移動端末機をそのセル内に持つ基地局を経て、対象とする移動端末機へ電話回線が接続される。
【０００５】
センター局と移動端末機との間に回線接続がなされると、回線接続を行った基地局のコード（基地局ＩＤ）が認識され、センター局のデータベースに記憶される。この基地局の認識、基地局コードの記憶は、一瞬にして行われるので、センター局と移動端末機との回線は直ちに切断することができる。
【０００６】
このデータベースに記憶された基地局の位置情報は、基地局のコードまたは基地局の緯度または経度で表現され、位置情報検索の要求があった情報処理装置に対して送信される。
【０００７】
【発明が解決しようとする課題】
このように従来の位置情報検索システムでは、移動端末機の位置を遠隔地の情報処理装置からの要求に応じて検索することができる。
【０００８】
しかしながら従来では、情報処理装置からの位置検索の要求に応じて、その都度、検索の対象とする移動端末機との回線接続を行なうことによって、移動端末機が存在するゾーンの基地局の位置情報を取得していたため、回線接続に伴って回線接続費用が発生していた。
【０００９】
また、位置情報検索の要求があった場合に回線接続し、その時の移動端末機の現在位置を取得するだけであった。従って、移動端末機の移動の変化、すなわち位置情報の履歴を取得するためには、繰り返し位置情報の取得要求を行なう必要があり、また、その都度、回線接続費用が発生し、通信コストが増大してしまう。
【００１０】
また従来の位置情報検索システムでは、移動端末機の現在位置を取得するだけであるため、現在位置が把握できたとしても、その場所でどのような状況にあるかを把握することができなかった。従って、従来では現在位置をもとにして、どのような状況にあるか想像する程度のことしかできなかった。
【００１１】
本発明は前記のような事情を考慮してなされたもので、移動端末機の位置情報の履歴を簡単かつ通信コストを増大させることなく取得することが可能な位置情報検索システム、移動端末機を提供することを目的とする。
【００１２】
また、移動端末機の位置情報と共に、移動端末機がおかれている状況を表す情報を含めた履歴を簡単かつ通信コストを増大させることなく取得することが可能な位置情報検索システム、移動端末機を提供することを目的とする。
【００１３】
【課題を解決するための手段】
本発明は、複数の基地局のそれぞれに対応する通信エリアで、前記基地局を介して通信を行なう移動端末機において、現在位置の通信エリアが何れの基地局によるものであるかを示す位置情報を取得する位置情報取得手段と、前記位置情報を格納するための位置履歴情報格納手段と、前記位置情報取得手段によって取得された位置情報を、前記位置履歴情報格納手段に対して履歴として時系列的に順次格納する位置情報格納手段と、特定の状況が予め割り当てられたボタンに対するボタン操作に応じて、状況・状態の情報を入力する状況・状態入力手段と、前記状況・状態入力手段によって入力された状況・状態の情報を、前記位置履歴情報格納手段に格納された位置情報と対応付けて格納する状況・状態情報格納手段と、前記位置履歴情報格納手段に格納された複数の位置情報と前記状況・状態情報格納手段によって格納された状況・状態の情報とを、予め設定された位置情報送出条件に応じて一括して送出する情報送出手段とを具備し、前記情報送出手段は、前記位置情報送出条件として特定の状況・状態の情報が設定されている場合に、前記状況・状態入力手段により入力された状況・状態の情報が前記特定の状況・状態の情報と一致した場合に情報を送出することを特徴とする。
【００１４】
【発明の実施の形態】
以下、図面を参照して本発明の実施の形態について説明する。図１は本実施形態に係わる位置情報検索システムのシステム構成を示すブロック図である。
【００１５】
図１に示すように、本実施形態における位置情報検索システムは、移動局１０、基地局１２、ＰＨＳ網１４、公衆網１６、位置情報管理システム１８、及び情報処理装置２０によって構成される。本実施形態では、ＰＨＳ（personal  handyphone  system）を用いた小ゾーン制無線通信システムを利用した構成とする。
【００１６】
移動局１０（ＰＨＳ端末）は、基地局１２との間で無線通信を行なうもので、時間経過、移動、あるいは特定のボタン操作に伴って、現在位置する通信エリア（ゾーン）が何れの基地局１２によるものであるかを示す位置情報を履歴として格納し、基地局１２からの位置情報に対する条件指定を含む位置情報要求（４）に応じて、指定された条件に従う位置情報を抽出して一括して位置情報回答（５）として送出する機能を有している。また、移動局１０は、基地局１２や各網を介さずに、情報処理装置２０と直接接続することによって格納している位置情報の履歴を出力することもできる。
【００１７】
基地局１２は、移動局１０との間で無線通信を行なうもので、それぞれに固有な基地局を特定する識別情報（基地局ＩＤ）が設定され、常時、基地局ＩＤを通知する信号を発信している（ＰＨＳの基本構成）。基地局１２は、ＰＨＳ網１４を経由して位置情報要求（３）が受信された場合に、位置情報の検索対象とする移動局１０に対して位置情報要求（４）を送信し、この位置情報要求（４）に応じた位置情報回答（５）を受信した場合に、ＰＨＳ網１４に対して位置情報回答（６）を送信する。
【００１８】
ＰＨＳ網１４は、複数の基地局１２を統合するもので、公衆網１６を経由して位置情報管理システム１８からの位置情報要求（２）が受信された場合に、位置情報の検索対象となっている移動局１０が通信エリアに存在している基地局１２に対して位置情報要求（３）を送出し、この位置情報要求（３）に応じた位置情報回答（６）を受信した場合に、公衆網１６を介して位置情報管理システム１８に対して位置情報回答（７）を送信する。
【００１９】
公衆網１６は、ＰＨＳ網１４と位置情報管理システム１８とを接続するための通信経路であり、例えばＩＳＤＮ網が用いられる。
【００２０】
位置情報管理システム１８は、移動局１０の位置検索を行なうサービスを提供するためのシステムであり、情報処理装置２０からの所定の移動局１０に関する位置情報の取得を要求する端末機位置情報要求（１）が受信された場合に、検索対象とする移動局１０に対する位置情報要求（２）を送出し、この位置情報要求（２）に応じた位置情報回答（７）を受信した場合に、この位置情報回答（７）に含まれる位置情報の履歴をもとにして移動局１０の位置（緯度経度）、住所、移動経路等の位置に関する演算を実行して、その結果を端末機位置情報回答（８）として情報処理装置２０に送信する。
【００２１】
情報処理装置２０は、パーソナルコンピュータ等によって構成される位置情報管理システム１８が提供する位置情報検索サービスの提供を受けるためのもので、所定の移動局１０に対する位置情報を要求するための端末機位置情報要求（１）を、ＩＳＤＮあるいはインターネットを経由して位置情報管理システム１８に対して送出し、この端末機位置情報要求（１）に応じた端末機位置情報回答（８）を受信し、この端末機位置情報回答（８）に含まれる位置情報に基づいた移動局１０の位置表示（例えば、地図上での位置、経路等の表示、位置情報の履歴の一覧表示等）を行なう機能が設けられている。
【００２２】
次に、移動局１０の構成について説明する。図２は本実施形態における移動局１０のシステム構成を示すブロック図である。
本実施形態における移動局１０は、例えば記録媒体に記録されたプログラムを読み込み、このプログラムによって動作が制御されるコンピュータ、いわゆるＰＤＡ（personal  digital  assistant）と呼ばれるＰＨＳによる無線通信機能を備えた携帯型情報機器、一般的な音声通話が可能なＰＨＳ端末、あるいは音声通話用の機能が省略された位置情報検索用の専用の移動端末機として実現することができる。なお、位置情報検索用の専用の移動端末機の構成については、後述する図６及び図７を用いて説明する。
【００２３】
図２に示すように、本実施形態における移動局１０は、ＣＰＵ３０、メモリ３１、通信機能部３２、スピーカ／マイク３３、記憶装置３５、表示装置３６、ダイヤルボタン３７、機能ボタン３８、及びリアルタイムクロック（ＲＴＣ）３９の各機能を有して構成されている。
【００２４】
ＣＰＵ３０は、装置全体の制御を司るもので、メモリ３１に格納されたプログラム及びデータに基づいて実行することにより各種機能を実現する。本実施形態では、位置情報通信プログラム３１ｂを実行することで、基地局１２からの位置情報要求を受信し、また位置情報要求に対する位置情報回答を送信するための通信を制御し、位置情報管理プログラム３１ｃを実行することによって、位置情報を取得して履歴として格納保存する機能が実現される。位置情報管理プログラム３１ｃでは、位置情報格納機能、位置情報送出機能、位置情報容量管理（削除）機能が実現される。なお、本実施形態において位置情報とは、基地局を特定する識別情報（以下、基地局ＩＤと称する）と、基地局からの電界強度を示す情報との組からなり、さらに基地局ＩＤ及び電界強度の情報を格納した時の時刻を示す格納時刻の情報、及び予め設定された特定のボタン（詳細については後述する）に対する操作状態、すなわち何れのボタンが押下されたかを表すボタン状態の情報（特定の状況が予め割り当てられた状況・状態の情報）が付加されて構成される。
【００２５】
メモリ３１は、ＣＰＵ３０による読み込み専用または読み書き可能なメモリ装置であり、プログラムやデータが格納される。本実施形態では、移動局１０の基本的な機能を制御するための制御プログラム３１ａの他、必要に応じて、位置情報通信プログラム３１ｂ、位置情報管理プログラム３１ｃ等のプログラムが格納される。また、メモリ３１には、位置情報を格納するための位置履歴情報格納領域３１ｄ、現在の位置情報を格納するための現在位置情報格納領域３１ｅ、位置情報の取得や送出すべき位置情報の条件を格納するための条件格納領域３１ｆ、ボタンに対して設定された特定の状況を表す情報、例えば行動内容を表す情報を格納するためのボタン設定格納領域３１ｇ等のデータ領域が確保される。各領域に格納される情報の詳細については後述する。
【００２６】
通信機能部３２は、有線あるいは無線によって電話による通信を行なうもので、無線通信としてＰＨＳ（personal  handyphone  system）により実現され、通常の音声通話による通信の他にデータ通信等を行なうことができる。なお、通信機能部３２のＰＨＳによる無線通信のための詳細な構成については後述する（図３）。
【００２７】
スピーカ／マイク３３は、通信機能部３２を介した通常の音声の通話を行なう際に用いられるもので、スピーカにより発呼者側からの音声を出力し、マイクにより発呼者に通知する音声を入力する。
【００２８】
記憶装置３５は、各種プログラム（制御プログラム３１ａ、位置情報通信プログラム３１ｂ、位置情報管理プログラム３１ｃ等）やデータ（位置履歴情報格納領域３１ｄ、現在位置情報格納領域３１ｅ、条件格納領域３１ｆに格納される情報）等が記憶される装置である。記憶装置３５において扱われる記録媒体に記録されたプログラムは、必要に応じてメモリ３１上に読み出され、実行されることで各種機能を実現する。また、記憶装置３５は、可搬型記憶媒体３５ａに対するデータの読み書きが可能であるものとする。
【００２９】
表示装置３６は、入力データや出力結果、あるいは通信制御に係わるメッセージ等を表示するためのもので、例えばＬＣＤ（液晶ディスプレイ）によって構成される。なお、移動局１０を携帯型情報機器とした場合、入力装置としてタブレットを設けて、表示装置３６の表示面と積層一体型に構成してあっても良い。
【００３０】
ダイヤルボタン３７は、移動局１０の基本的な機能として通信相手の電話番号を指定するために使用される他、移動局１０に設けられた機能に対する各種設定を行なう際に使用される、０〜９の数字と複数の記号を示すボタンを含んでいる。
【００３１】
機能ボタン３８は、移動局１０に設けられた機能に対する各種指示を入力するために使用されるボタンである。また、機能ボタン３８は、予め設定された特定のダイヤルボタン３７との組み合わせによって、後述する専用移動端末機に設けられる状態通知ボタン３７ａと同じように機能させることができる。
【００３２】
ＲＴＣ３９は、時計情報を供給するもので、年月日時刻の情報を取得するために用いられる。
【００３３】
次に、通信機能部３２の詳細について説明する。図３は、図２中に示す通信機能部３２の詳細な構成を示すブロック図である。なお、図３では、音声通話のための回路部分については省略している。
【００３４】
図３に示すように、通信機能部３２は、アンテナ４０、受信回路４１、復調回路４２、ＩＤ検出回路４３、電界強度測定回路４４、制御回路４５、送信回路４６、変調回路４７、及び送信信号生成回路４８が設けられている。
【００３５】
アンテナ４０は、無線通信のための信号の送受信用であり、受信回路４１と送信回路４６とに接続される。
受信回路４１は、アンテナ４０によって受信された信号を増幅して、復調回路４２及び電界強度測定回路４４に出力する。
復調回路４２は、受信回路４１によって増幅された受信信号を復調して、ＩＤ検出回路４３に出力する。
ＩＤ検出回路４３は、復調回路４２によって復調された信号に基づいて、受信した信号に含まれる基地局１２を特定する識別情報（基地局ＩＤ）を検出する。
電界強度測定回路４４は、受信回路４１によって増幅された受信信号に基づいて、信号の受信が可能な基地局１２との間の電界強度を測定する。
【００３６】
制御回路４５は、ＣＰＵ３０のもとで通信機能部３２全体を制御して各種機能を実現するもので、音声通話のための機能の制御の他、ＣＰＵ３０からの要求に応じて、ＩＤ検出回路４３によって検出された基地局ＩＤと、電界強度測定回路４４によって測定された電界強度を示す情報を提供するための制御を行なう。
【００３７】
送信回路４６は、変調回路４７によって変調された信号を増幅して、アンテナ４０を通じて送信する。
【００３８】
変調回路４７は、送信信号生成回路４８によって生成された送信信号を変調して、送信回路４６に出力する。
送信信号生成回路４８は、制御回路４５のもとで送信信号を生成し、変調回路４７に出力する。
【００３９】
次に、移動局１０を位置情報検索用の専用の移動端末機（以下、専用移動端末機と称する）として構成した場合について説明する。図４は、専用移動端末機の外観構成を示す図、図５は、専用移動端末機のシステム構成を示すブロック図である。なお、図５のブロック図に示す構成は、図２に示すブロック図中の一般的な音声通話を行なうために設けられた構成部分、すなわちスピーカ／マイク３３、ダイヤルボタン３７、機能ボタン３８が削除されたものであり、その他の機能については図２に示す機能と同様にして動作するものとして詳細な説明を省略する。ただし、専用移動端末機には、新たに状態通知ボタン３７ａが設けられている。
【００４０】
図４（ａ）に示す専用移動端末機は、比較的大量の位置情報の履歴を蓄積可能とした構成であり、図４（ｂ）に示す専用移動端末機は、携帯性を考慮して小型にした構成の例を示している。図４（ａ）に示す専用移動端末機では、比較的大容量の記憶装置３５と共に、長時間の動作を可能にするためのバッテリ（図示せず）が搭載される。また、アンテナ４０なども筐体内に収納されている。図４（ｂ）に示す専用移動端末機では、小型軽量とするために記憶装置３５（可搬型記憶媒体３５ａ）が設けられていない構成とすることもできる（この場合、プログラム等は不揮発性のメモリによって提供されるものとする。）。
【００４１】
また、図４（ａ）（ｂ）に示すように、専用移動端末機には、行動内容などの状況を表す情報の履歴を位置情報と共に記録しておくための複数のボタンを含む状態通知ボタン３７ａ、ボタン内容提示部（３６）が筐体上面部に設けられている。図４（ａ）（ｂ）に示す例では、５つのボタン（第１ボタン〜第５ボタン）が設けられた構成としている。状態通知ボタン３７ａの各ボタンに対しては、予め情報処理装置２０において特定の状況を表す情報、例えば行動内容を表す情報が割り当てられ、その設定内容がボタン設定内容としてメモリ３１のボタン設定格納領域３１ｇに格納される（ボタン設定内容の詳細については後述する（図９、図１０））。
【００４２】
図４（ｂ）に示す例では、第１ボタンには「現地到着」、第２ボタンには「作業開始」、第３ボタンには「作業終了」、第４ボタンには「現地出発」、第５ボタンには「緊急」の各行動内容が割り当てられていることを示している。
【００４３】
ボタン内容提示部は、例えば表示装置３６によってボタン設定格納領域３１ｇに格納された情報に基づいて、行動内容を表す文字列を表示させることにより実現されるもので、例えば第１ボタンに対応付けて「現地到着」の文字列を表示させている。これにより、作業開始の際に操作すべきボタンを容易に判別することができる。
【００４４】
なお、専用移動端末機の構成をより簡単化するために表示装置３６を省いた構成とすることもできるが、この場合、ボタン内容提示部においては、単に行動内容が印刷されたシールなどを貼り付けることによって、利用者に対して各ボタンに対して割り当てられた行動内容を提示することができる。
【００４５】
図６は、図２に示すシステム構成において、制御プログラム３１ａ、位置情報通信プログラム３１ｂ、位置情報管理プログラム３１ｃ等のプログラムを、ＣＰＵ３０により実行することにより実現される機能の構成を示すブロック図である。
【００４６】
図６に示すように、移動局１０は、条件受付部５０、条件格納部５２、位置情報取得部５４、位置情報格納部５６、位置履歴情報格納部５８、状態通知取得部５９、時刻取得部６０、情報算出部６２、移動方向算出部６４、住所算出部６５、地図情報格納部６６、位置算出部６８、基地局情報格納部６９、位置履歴管理部７０、位置情報削除部７２、位置情報圧縮部７４、一括送出削除部７６、格納保存削除部７８、位置情報送出要求受付部７９、情報送出部８０、位置情報抽出部８２、位置情報送出部８４、位置情報送出指示部８６、及び時間計時部８８の機能が実現される。
【００４７】
条件受付部５０は、基地局１２を介して得られる位置情報管理システム１８（情報処理装置２０）から通知される指示、あるいはダイヤルボタン３７及び機能ボタン３８による操作によって入力される指示に応じて、各種条件を受付けて条件格納部５２に格納する。条件受付部５０によって受け付けられる条件情報としては、位置情報を格納する際の位置情報格納条件、位置情報の履歴から送出すべき位置情報を抽出する際の位置情報抽出条件、履歴として格納された位置情報を基地局１２に対して送出べきタイミングを示す位置情報送出条件がある。
【００４８】
条件格納部５２は、条件受付部５０によって受付られた条件情報（位置情報格納条件、位置情報抽出条件、位置情報送出条件）を格納する。
【００４９】
位置情報取得部５４は、通信機能部３２によって得られた基地局ＩＤ及び電界強度の情報を取得して、位置情報格納部５６に通知する。
【００５０】
位置情報格納部５６は、位置情報取得部５４によって取得された基地局ＩＤ及び電界強度の情報を、位置履歴情報格納部５８に格納する。また、位置情報格納部５６は、状態通知取得部５９、時刻取得部６０及び情報算出部６２によって取得される情報についても、基地局ＩＤ及び電界強度の情報と共に位置履歴情報格納部５８に格納する。位置情報格納部５６は、位置履歴情報格納部５８に対して、条件格納部５２に格納された位置情報格納条件に従って、各種情報を位置情報の履歴として格納する。
【００５１】
位置履歴情報格納部５８は、位置情報格納部５６によって位置情報の履歴が格納される。本実施形態において位置情報とは、基地局ＩＤ及び電界強度の情報からなり、さらに格納時刻の情報、ボタン状態の情報（特定のボタンダイヤルボタン３７及び機能ボタン３８（特定の組み合わせ）、あるいは状態通知ボタン３７ａに対する操作が行われた場合）が付加されて構成される。
【００５２】
状態通知取得部５９は、ダイヤルボタン３７及び機能ボタン３８（特定の組み合わせ）、あるいは状態通知ボタン３７ａに対する操作によって入力されるボタン状態の情報を取得して、位置情報格納部５６に通知する。
【００５３】
時刻取得部６０は、ＲＴＣ３９からの時刻の情報を取得して位置情報格納部５６に通知する。
【００５４】
情報算出部６２は、位置履歴情報格納部５８に先に格納された位置情報に基づいて、移動方向算出部６４、住所算出部６５、地図情報格納部６６、位置算出部６８、及び基地局情報格納部６９により他の情報を算出する機能が含まれている。
【００５５】
移動方向算出部６４は、位置履歴情報格納部５８に先に格納された位置情報に基づいて、その変化から今後、移動局１０が移動する可能性の高い移動方向を算出して位置情報格納部５６に通知する。
【００５６】
住所算出部６５は、位置算出部６８によって、位置履歴情報格納部５８に格納された現在の位置情報に基づいて算出された現在位置（緯度経度）をもとに、地図情報格納部６６に格納された地図情報を参照して、現在位置の住所を求めて位置情報格納部５６に通知する。
【００５７】
地図情報格納部６６は、地図上に表される特徴的な位置、例えば道路（交差点等）、公共施設、建物、工場、公園などの位置を示す位置情報と、それぞれに対応する住所とが対応付けられて格納されている。
【００５８】
位置算出部６８は、位置履歴情報格納部５８に格納された現在の位置情報（基地局ＩＤ、電界強度）と、基地局情報格納部６９に格納された基地局情報（基地局の位置（緯度経度または住所）、基地局の送信電力、アンテナの設置高さ等）に基づいて現在位置（緯度経度）を算出し、位置情報格納部５６に通知する。
【００５９】
基地局情報格納部６９は、各基地局１２について、基地局ＩＤとそれぞれの基地局の位置（緯度経度または住所）、基地局の送信電力、アンテナの設置高さ等）を示す情報を格納する。
【００６０】
なお、情報算出部６２は、地図情報格納部６６及び基地局情報格納部６９に格納される情報量が多いため、例えば大記憶容量の記憶装置が接続可能な使用形態などの場合に実現することができる。ただし、移動局１０の位置情報検索の対象とするエリアを限定し、このエリア内に存在する基地局１２の基地局情報及び地図情報のみを格納することによって情報量を削減すれば、大記憶容量を確保しなくても実現可能である。また、必要に応じて、基地局情報及び地図情報を、通信によって位置情報管理システム１８等から取得することも可能である。
【００６１】
位置履歴管理部７０は、位置履歴情報格納部５８に位置情報が格納されることによって変化する空き容量を管理するもので、空き容量が所定値以下となった場合に空き容量を確保するための処理を実行する。位置履歴管理部７０は、位置履歴情報格納部５８の空き容量を確保するために、位置情報削除部７２、位置情報圧縮部７４、一括送出削除部７６、及び格納保存削除部７８の機能を選択的に実行させることができる。
【００６２】
位置情報削除部７２は、位置履歴情報格納部５８に格納された位置情報のうち条件に従って一部を削除するもので、各位置情報に付加された格納時刻の情報を基づいて、所定の空き容量が確保される分の古い位置情報を削除する。
【００６３】
位置情報圧縮部７４は、空き容量が所定値以下となった場合に、格納済みの位置情報の情報量を圧縮することで情報量を低減させるもので、例えば統合できる位置情報をマージする、履歴中の途中の位置情報を間引くように削除する、あるいは所定のデータ圧縮方式を用いてデータ圧縮するなどの方法を用いる。
【００６４】
一括送出削除部７６は、空き容量が所定値以下となった場合に、位置履歴情報格納部５８に格納された位置情報を、位置情報送出部８４を介して基地局１２（位置情報管理システム１８宛て）に送出した後、位置履歴情報格納部５８に格納された位置情報を一括して削除することで空き容量を確保する。
【００６５】
格納保存削除部７８は、移動局１０に外部記憶装置（記憶装置３５）が接続されている場合、位置履歴情報格納部５８に格納されている位置情報を記憶装置３５に格納保存した後、位置履歴情報格納部５８に格納された位置情報を一括して削除することで空き容量を確保する。
【００６６】
位置情報送出要求受付部７９は、基地局１２を介して情報処理装置２０からの位置情報要求を受け付けて、位置情報送出指示部８６に通知する。なお、位置情報送出要求受付部７９が位置情報要求を受信する際、同時に条件受付部５０に位置情報抽出条件が受信される。
【００６７】
情報送出部８０は、位置履歴情報格納部５８に格納された位置情報の履歴を、基地局１２（位置情報管理システム１８宛て）に送出するもので、位置情報抽出部８２及び位置情報送出部８４の機能が設けられている。
【００６８】
位置情報抽出部８２は、条件格納部５２に格納された位置情報抽出条件に基づいて、位置履歴情報格納部５８から該当する位置情報を抽出し、位置情報送出部８４に通知する。なお、位置情報抽出条件が指定されていない場合には、位置履歴情報格納部５８に格納された全ての位置情報を一括して抽出する。
【００６９】
位置情報送出部８４は、位置情報抽出部８２によって抽出された位置情報の履歴を基地局１２に対して、位置情報回答の情報として送出する。
【００７０】
位置情報送出指示部８６は、条件格納部５２に格納された位置情報送出条件に従って、情報送出部８０に対して位置情報の送出実行を指示する。位置情報送出指示部８６が位置情報の送出実行を指示する条件として、位置情報送出要求受付部７９からの位置情報要求が通知された場合、位置情報送出条件として指定された時間が経過した場合、位置情報送出条件として指定された特定のボタンが操作されてその状態通知が入力された場合、あるいはそれらの組み合わせによる場合がある。
【００７１】
時間計時部８８は、条件格納部５２に格納された位置情報送出条件（時間指定）に応じた時間を計時して、位置情報の送出実行を指示する時刻になったことを検出する。
【００７２】
次に、位置情報管理システム１８の構成について説明する。
本実施形態における位置情報管理システム１８は、例えば記録媒体に記録されたプログラムを読み込み、このプログラムによって動作が制御されるコンピュータによって実現される。
【００７３】
図７に示すように、本実施形態における位置情報管理システム１８は、ＣＰＵ９０、メモリ９２、端末機データベース９４、基地局データベース９５、地図データベース９６、通信ユニット９８の他、図示していない入力装置、表示装置等の各機能を有して構成されている。
【００７４】
ＣＰＵ９０は、装置全体の制御を司るもので、メモリ９２に格納されたプログラム及びデータに基づいて実行することにより各種機能を実現する。本実施形態では、位置情報サービスプログラム９２ｂを実行することで、情報処理装置２０から要求があった移動局１０について位置情報検索をするサービスを提供する。ＣＰＵ９０は、位置情報通信プログラム９２ｃを実行することによって情報処理装置２０からの端末機位置情報要求を受信し、また端末機位置情報要求に対する端末機位置情報回答を情報処理装置２０に送信するための通信を制御し、位置情報通信プログラム９２ｃを実行することによって、取得した位置情報の履歴をもとにした位置（緯度経度、住所）を演算する機能が実現される。
【００７５】
メモリ９２は、ＣＰＵ９０による読み込み専用または読み書き可能なメモリ装置であり、プログラムやデータが格納される。本実施形態では、位置情報管理システム１８の基本的な機能を制御するための制御プログラム９２ａの他、必要に応じて、位置情報サービスプログラム９２ｂが格納される。位置情報サービスプログラム９２ｂには、位置情報通信プログラム９２ｃ、位置情報演算プログラム９２ｄ等のプログラムが含まれる。
【００７６】
また、メモリ９２には、移動局１０から取得した位置情報を格納するための位置履歴情報格納領域、位置情報の履歴をもとにして算出した移動局１０の位置（緯度経度）、住所などの情報を格納するための領域が確保される（図示せず）。
端末機データベース９４は、位置情報検索の対象とする移動局１０に関する情報が登録される。
【００７７】
基地局データベース９５は、位置情報検索の対象とするエリアに設置された基地局１２に関する情報が、位置情報をもとにした移動局１０の位置（緯度経度）を算出するために登録されるもので、各基地局１２について、基地局ＩＤとそれぞれの基地局の位置（緯度経度または住所）、基地局の送信電力、アンテナの設置高さ等）を示す情報等を格納する。
【００７８】
地図データベース９６は、地図上に表される特徴的な位置、例えば道路（交差点等）、公共施設、建物、工場、公園などの位置を示す位置情報と、それぞれに対応する住所とが対応付けられて格納されている。
通信ユニット９８は、ＩＳＤＮや専用線（インターネット）等を経由した通信を行なう。
【００７９】
記憶装置９９は、各種プログラム（制御プログラム９２ａ、位置情報サービスプログラム９２ｂ等）やデータ（移動局１０から取得した位置情報の履歴等）が記憶される装置である。記憶装置９９において扱われる記録媒体に記録されたプログラムは、必要に応じてメモリ９２上に読み出され、実行されることで各種機能を実現する。
【００８０】
次に、情報処理装置２０の構成について説明する。
本実施形態における情報処理装置２０は、例えば記録媒体に記録されたプログラムを読み込み、このプログラムによって動作が制御されるパーソナルコンピュータによって実現される。
【００８１】
図８に示すように、本実施形態における情報処理装置２０は、ＣＰＵ１００、メモリ１０２、記憶装置１０４、表示装置１０６、入力装置１０８、通信ユニット１１０、及び地図データベース１１２の各機能を有して構成されている。
【００８２】
ＣＰＵ１００は、装置全体の制御を司るもので、メモリ１０２に格納されたプログラム及びデータに基づいて実行することにより各種機能を実現する。本実施形態では、位置情報通信プログラム１０２ｂを実行することで、位置情報管理システム１８に対する端末機位置情報要求を送信し、また端末機位置情報要求に対する端末機位置情報回答を受信するための通信を制御し、検索プログラム１０２ｃを実行することによって、利用者からの位置情報検索の要求を入力し、この要求に対して得られた端末機位置情報回答に含まれる位置情報に基づいて移動局１０の位置表示（例えば、地図上での位置、経路等の表示、位置情報の履歴の一覧表示等）を行なう。
【００８３】
メモリ１０２は、ＣＰＵ１００による読み込み専用または読み書き可能なメモリ装置であり、プログラムやデータが格納される。本実施形態では、情報処理装置２０の基本的な機能を制御するための制御プログラム１０２ａの他、必要に応じて、位置情報通信プログラム１０２ｂ、検索プログラム１０２ｃ等のプログラムが格納される。また、メモリ１０２には、位置情報管理システム１８から受信した移動局１０の位置に関する情報を格納するための位置情報格納領域１０２ｄ、専用移動端末機の状態通知ボタン３７ａ、あるいは特定のダイヤルボタン３７と機能ボタン３８との組み合わせに対して割り当てられた特定の状況を表す情報（例えば行動内容）を格納するためのボタン設定格納領域１０２ｅの他、各種のデータ領域が確保される。位置情報に基づく移動局１０の位置表示を行なう際には、位置情報に付加されたボタン状態の情報に対応するボタン設定格納領域１０２ｅに設定された行動内容をともに表示させることができる。
【００８４】
記憶装置１０４は、各種プログラム（制御プログラム１０２ａ、位置情報通信プログラム１０２ｂ、検索プログラム１０２ｃ等）やデータ（位置情報格納領域１０２ｄに格納される位置情報管理システム１８から取得した移動局１０の位置に関する情報等）が記憶される装置である。記憶装置１０４において扱われる記録媒体に記録されたプログラムやデータは、必要に応じてメモリ１０２上に読み出され、実行されることで各種機能を実現する。また、記憶装置３５は、可搬型記憶媒体１０４ａに対するデータの読み書きが可能であり、移動局１０で扱われる可搬型記憶媒体３５ａに対するデータの読み書きが可能であるものとする。
【００８５】
表示装置１０６は、各種情報の表示を行なうもので、検索プログラム１０２ｃの実行に伴って、地図データベース１１２に格納された地図情報をもとにした地図の表示や、この地図上における移動局１０の位置あるいは経路の表示が行われる。
【００８６】
入力装置１０８は、各種情報の入力を行なう。
【００８７】
通信ユニット１１０は、ＩＳＤＮや専用線（インターネット）等を経由した通信の他、移動局１０を直接接続して、移動局１０のメモリ３１（位置履歴情報格納部５８）に格納された位置情報の履歴を入力することができる。
【００８８】
地図データベース１１２は、地図を表示するためのデータの他、地図上に表される特徴的な位置、例えば道路（交差点等）、公共施設、建物、工場、公園などの位置を示す位置情報と、それぞれに対応する住所とが対応付けられて格納されている。
【００８９】
次に、本実施形態における位置情報検索システムの動作について説明する。  はじめに、情報処理装置２０において実行される位置情報管理システム１８を利用するための初期設定処理について、図９に示すフローチャートを参照しながら説明する。初期設定処理には、各種の処理設定が行われるが（ステップＳ７）、処理移動局１０（専用移動端末機）に設けられたボタンに対して、特定の状況を表す情報、例えば行動内容を表す情報を割り当てることができる。
【００９０】
まず、初期設定処理においてボタン設定要求が指示された場合（ステップＳ１）、図８に示す情報処理装置２０のＣＰＵ１００は、移動局１０（専用移動端末機）に設けられた特定のボタンに対して割り当てる特定の状況を表す情報、例えば行動内容を表す情報を入力する（ステップＳ２）。行動内容の入力は、予め用意された複数の中から選択する、あるいは入力装置１０８の操作によって行動内容を表す文字列を入力するなどして行われる。そして、ＣＰＵ１００は、入力された行動内容を複数のボタンの中の特定のボタンに対して割り当てる（ステップＳ３）。例えば、図４に示す専用移動端末機の場合には、第１ボタンに対して「現地到着」の行動内容が割り当てられることになる。
【００９１】
以上の行動内容の入力と設定の作業が、移動局１０（専用移動端末機）に設けられたそれぞれの特定のボタンに対して行われる（ステップＳ４）。なお、図４及び図５に示す専用移動端末機では、状態通知ボタン３７ａに設けられた複数のボタン（例えば第１ボタン〜第５のボタン）のそれぞれに対して設定が行われるが、図２に示す一般的な音声通話が可能なＰＨＳ端末のようにダイヤルボタン３７と機能ボタン３８とが設けられた移動局１０に対しては、ダイヤルボタン３７と機能ボタン３８の特定のボタンの組み合わせに対して設定が行われるものとする。
【００９２】
設定が終了するとＣＰＵ１００は、入力されたボタン設定内容をメモリ１０２のボタン設定格納領域１０２ｅに格納させる（ステップＳ５）。
また、ＣＰＵ１００は、移動局１０に対してボタン設定内容を通知して、各移動局１０においてボタン設定内容を格納させる（ステップＳ６）。この際、情報処理装置２０は、位置情報管理システム１８、公衆網１６、ＰＨＳ網１４、及び基地局１２を介して、移動局１０に通知するようにしても良いし、移動局１０を直接接続した状態で通知するようにしても良い。ただし、移動局１０（専用移動端末機）において、単にボタン状態を格納するだけで、ボタン内容提示部における行動内容の提示などが不要である場合には、ボタン設定内容の通知を省略することもできる。
【００９３】
図１０には、専用移動端末機に設けられた状態通知ボタン３７ａの各ボタンに対して設定されたボタン設定内容の一例を示している。図１０に示す例では、第１ボタンには「現地到着」、第２ボタンには「作業開始」、第３ボタンには「作業終了」、第４ボタンには「現地出発」、第５ボタンには「緊急」の各行動内容が割り当てられている。このボタン設定内容が、情報処理装置２０のメモリ１０２中のボタン設定格納領域１０２ｅ、移動局１０（専用移動端末機）のメモリ３１中のボタン設定格納領域３１ｇに格納される。
【００９４】
次に、移動局１０における動作について説明する。
まず、位置情報格納処理について、図１１に示すフローチャートを参照しながら説明する。ここでは、位置情報の格納の条件として、行動内容が割り当てられた状態通知ボタン３７ａ（専用移動端末機の場合）あるいは特定のボタンの組み合わせ（図２に示す構成の場合）が押された場合、予め設定されている一定時間が経過した場合、及び移動局１０が移動することによって他の基地局１２の通信エリア（ゾーン）内に侵入した場合に、その位置で取得できる位置情報を格納する条件が設定されているものとする。
【００９５】
なお、位置履歴情報格納部５８には、基本的には図１２に示すように、（ａ）基地局ＩＤ、（ｂ）電界強度、（ｃ）格納時刻を示す情報が対応付けて格納されるものとする。また、行動内容が割り当てられた状態通知ボタン３７ａあるいは特定のボタンの組み合わせが押された場合には、何れのボタンが押されたかを示すボタン状態の情報が、（ａ）基地局ＩＤ、（ｂ）電界強度、（ｃ）格納時刻を示す情報と対応付けて格納される。
【００９６】
位置情報取得部５４は、各基地局１２から常時送出されている各基地局１２に固有の基地局ＩＤを取得すると、この基地局ＩＤと共に、基地局１２との間の電界強度の情報を取得する。
【００９７】
位置情報格納部５６は、位置情報取得部５４によって取得された基地局ＩＤ及び基地局１２からの電界強度との組を現在位置情報として保持している。
【００９８】
位置情報格納部５６は、予め設定された一定時間が経過したか（ステップＡ１）、あるいは現在位置情報の基地局ＩＤと異なる基地局ＩＤが、位置情報取得部５４によって取得された場合には（ステップＡ２）、取得した基地局ＩＤと電界強度を示す情報を位置履歴情報格納部５８に格納する（ステップＡ３）。また、位置情報格納部５６は、時刻取得部６０によって取得された、その時の時刻の情報対応付けて格納する。
【００９９】
さらに一定時間の経過、他の基地局１２の通信エリア（ゾーン）への侵入に関係なく、状態通知ボタン３７ａあるいは特定のボタンの組み合わせが押された場合にも（ステップＡ０）、位置情報格納部５６は、取得した基地局ＩＤと電界強度を示す情報を、押されたボタンを示すボタン状態と対応付けて位置履歴情報格納部５８に格納する（ステップＡ３）。
【０１００】
例えば、移動局１０（専用移動端末機）を携帯している利用者が目的地に到着した場合には、「現地到着」が割り当てられている状態通知ボタン３７ａの第１ボタンを押すようにする。これにより、位置情報と共に「現地到着」したことを表すボタン状態を格納しておくことができる。
【０１０１】
なお、ボタンが押された時点では位置情報の取得を行わないようにもできる。この場合、状態通知ボタン３７ａあるいは特定のボタンの組み合わせが押された際には、そのボタン状態を一時格納しておき（最後に押されたボタン状態のみを格納しておくものとする）、一定時間の経過、あるいは他の基地局ＩＤを取得した時に、ここで取得された位置情報と共に一時格納しておいてボタン情報を格納する。
【０１０２】
図１３には、基地局ＩＤと電界強度の情報の取得の様子を示している。例えば、図１３に示すように、移動局１０が基地局１の通信エリアと基地局２の通信エリアに共通するエリア内に存在する場合、それぞれの基地局１，２の基地局ＩＤ（ＩＤ１，ＩＤ２）を取得することができる。また、それぞれの基地局との間の電界強度を測定し、それぞれの電界強度（強度１、強度２）を取得することができる。
【０１０３】
従って、例えば、図１４に示すように、移動局１０が移動して、それぞれ異なる基地局１２の通信エリアを示す領域１、領域２、領域３を通過する場合、それぞれの位置での取得された基地局ＩＤ及び電界強度の情報を位置履歴情報格納部５８に格納することになる（図１４に示す例では、一定時間毎の格納のみを行っている）。
【０１０４】
例えば、図１４（１）の位置では、領域１のみに存在するため、領域１の基地局ＩＤ「Ａ」と、例えば電界強度「２」の情報を対応付けて格納する。
【０１０５】
また、図１４（２）の位置では、領域１，２に共通するエリアに移動局１０が存在するため、図１２に示すように、それぞれの領域に対応する基地局ＩＤと電界強度の情報、すなわち領域１の基地局ＩＤ「Ａ」と電界強度「８」、領域２の基地局ＩＤ「Ｂ」と電界強度「１」の情報を、それぞれ対応付けて位置履歴情報格納部５８に格納する。
【０１０６】
また、図１４（３）の位置では、領域１，２，３に共通するエリアに移動局１０が存在するため、同様にして、図１２に示すように、それぞれの領域に対応する領域１の基地局ＩＤ「Ａ」と電界強度「１」、領域２の基地局ＩＤ「Ｂ」と電界強度「３」、領域３の基地局ＩＤ「Ｃ」と電界強度「１」の情報を、それぞれ対応付けて位置履歴情報格納部５８に格納する。
【０１０７】
なお、図１３、図１４では説明を簡単にするため、２または３の基地局１２が設けられた状況を例にして説明しているが、移動局１０の位置（緯度経度）を基地局情報をもとにして正確に算出するためには、３以上の基地局１２に対する位置情報、好ましくは３〜７の基地局１２、さらに好ましくは３以上の基地局１２の中で電界強度の強い上位３以上の数局の基地局１２に対する位置情報を格納することが望ましい。ただし、位置の検出精度が低くても許される場合であれば、２つの基地局１２に対する位置情報のみであっても良い。
【０１０８】
このようにして、位置情報格納部５６は、移動局１０の現在位置に応じた位置情報（（ａ）基地局ＩＤ、（ｂ）電界強度、（ｃ）格納時刻）を、時系列的に履歴として順次格納しておくことができる。また、状態通知ボタン３７ａあるいは特定のボタンの組み合わせが押された際には、ボタン状態の情報も位置情報と対応付けて順次格納しておくことができる。
【０１０９】
なお、位置履歴情報格納部５８に格納する位置情報として、図１２に示すように、基地局ＩＤ、電界強度、格納時刻の情報の他に、（ｄ）進行方向、（ｅ）住所、（ｆ）緯度経度の情報を、情報算出部６２によって選択的に算出して格納することができる（図１１、ステップＡ５）。
【０１１０】
例えば、（ｄ）進行方向の情報は、移動方向算出部６４によって、位置履歴情報格納部５８に先に格納された複数の位置情報に基づいて、その変化から今後、移動局１０が移動する可能性の高い移動方向を算出することによって格納することができる。単純には、例えば、（ｃ）格納時刻の変化に伴って、（ｂ）電界強度が強くなっている（ａ）基地局ＩＤが存在する場合には、その基地局ＩＤが示す基地局１２の方向に移動していることになる。
【０１１１】
また、（ｆ）緯度経度の情報は、位置算出部６８によって、位置履歴情報格納部５８に格納された現在の位置情報（基地局ＩＤ、電界強度）と、基地局情報格納部６９に格納された基地局情報（基地局の位置（緯度経度または住所）、基地局の送信電力、アンテナの設置高さ等）に基づいて現在位置（緯度経度）を算出することによって格納することができる。
【０１１２】
また、（ｅ）住所の情報は、位置算出部６８によって、位置履歴情報格納部５８に格納された現在の位置情報に基づいて算出された現在位置（緯度経度）をもとに、地図情報格納部６６に格納された地図情報を参照して、現在位置の住所を求めて格納することができる。
【０１１３】
なお、情報算出部６２は、必ずしも必要ではなく、位置情報管理システム１８において位置情報に基づいて算出される場合には不要となる。ただし、移動局１０の位置履歴情報格納部５８に格納された情報を、情報処理装置２０と直接接続することによって出力する場合や、可搬型記憶媒体３５ａを介して供給する場合などには有効である。
【０１１４】
なお、図１１のフローチャートを用いた説明では、位置情報の格納の条件として、行動内容が割り当てられた状態通知ボタン３７ａあるいは特定のボタンが押された場合、予め設定されている一定時間が経過した場合、及び移動局１０が移動することによって他の基地局１２の通信エリア（ゾーン）内に侵入した場合としているが、図１５に示すフローチャートのように、条件格納部５２に格納された位置情報格納条件に従って位置情報を格納させることができる。
【０１１５】
図１６には、条件格納部５２に格納される位置情報格納条件の具体的な内容を示している。この位置情報格納条件は、前述したように、任意のタイミングによる情報処理装置２０から通知される指示、あるいはダイヤルボタン３７及び機能ボタン３８による操作によって入力される指示が条件受付部５０によって受け付けられることにより予め設定されるものとする。
【０１１６】
図１６に示すように、位置情報格納条件としては、位置情報要求があった時の位置情報を格納することを示す「現在情報」、例えば図１１（ステップＡ０，Ａ１，Ａ２）の条件に該当した全ての場合に位置情報を格納することを示す「全件」、範囲指定された時間（年月日時刻により指定されるものとする）内で例えば図１１（ステップＡ０，Ａ１，Ａ２）の条件に該当した場合に位置情報を格納することを示す「時間範囲」、住所あるいは位置（緯度経度）で指定された範囲（例えば矩形を表す対角の２点による範囲指定）内で例えば図１１（ステップＡ０，Ａ１，Ａ２）の条件に該当した場合に位置情報を格納することを示す「エリア範囲」、指定された数の位置情報を格納することを示す「件数」、特定のボタン状態が入力された場合、例えば「現地到着」と「現地出発」が割り当てられたボタン状態が入力された場合にのみ位置情報を格納することを示す「ボタン状態」などがある。ただし、「ボタン状態」に対しては、位置情報については他の条件に従って格納し、ボタン状態について特定のボタン状態のみを格納するものであっても良い。
【０１１７】
条件格納部５２には、前述した複数の条件から任意の組み合わせによって位置情報格納条件を指定することができる。「時間範囲」「件数」については、それぞれに対する具体的な数値が共に指定され、「エリア範囲」については具体的な住所や範囲が共に指定される。
【０１１８】
位置情報格納部５６は、条件格納部５２に格納された位置情報格納条件を参照し、指定された条件に該当する状態となっている場合に（ステップＢ１）、位置情報を位置履歴情報格納部５８に格納していく。
【０１１９】
例えば、「エリア範囲」の条件の判定では、住所算出部６５または位置算出部６８による処理結果を参照して、位置履歴情報格納部５８に格納すべき位置情報であるか否かが位置情報格納部５６によって判別されるものとする。
【０１２０】
なお、図１５に示すフローチャートは、図１６に示す位置情報格納条件に従う処理（ステップＢ１）が異なるのみで、他の処理（ステップＢ２〜Ｂ４）が図１１のステップＡ３〜Ａ５と同一なので、詳細な説明を省略する。
【０１２１】
次に、移動局１０から位置情報を送出させる位置情報送出処理について、図１７に示すフローチャートを参照しながら説明する。
【０１２２】
前述のようにして移動局１０の位置履歴情報格納部５８に格納された位置情報の履歴を、基地局１２に送出させる位置情報送出条件としては、図１６に示すように、情報処理装置２０からの位置情報要求があった場合に位置情報を送出することを示す「送出要求時」、予め指定された一定時間毎に位置情報を送出することを示す「時間指定」（具体的な時間がともに指定される）、予め指定された特定のボタン状態の入力があった場合に位置情報を送出することを示す「ボタン状態指定」などがある。
【０１２３】
条件受付部５０は、送出条件設定要求が受信されると（ステップＣ１）、図１６に示すように、指定された条件を条件格納部５２に設定する（ステップＣ２）。位置情報送出条件は、前述したように、任意のタイミングによる情報処理装置２０から通知される指示、あるいはダイヤルボタン３７及び機能ボタン３８による操作によって入力される指示が条件受付部５０によって受け付けられることにより予め設定される。
【０１２４】
位置情報送出指示部８６は、条件格納部５２に設定された位置情報送出条件に応じて、位置履歴情報格納部５８に格納された位置情報の履歴を送出すべきタイミングを判別する。
【０１２５】
すなわち、時間指定の条件が設定されている場合（ステップＣ３）、位置情報送出指示部８６は、時間計時部８８によって時間の経過を計時させ、指定された時間が計時された時、情報送出部８０に対して位置情報の送出を指示する（ステップＣ８，Ｃ９）。
【０１２６】
また、ボタン状態が通知された場合、位置情報送出指示部８６は、条件格納部５２を参照して「ボタン状態指定」に設定されている特定のボタン状態と一致していた場合には（ステップＣ１０）、情報送出部８０に対して位置情報の送出を指示する（ステップＣ８，Ｃ９）。
【０１２７】
また、位置情報送出要求受付部７９から位置情報要求を受け付けたことが通知された場合（ステップＣ６）、位置情報送出指示部８６は、条件格納部５２を参照して「送出要求時」が設定されていた場合に（ステップＣ７）、情報送出部８０に対して位置情報の送出を指示する（ステップＣ８，Ｃ９）。
【０１２８】
一方、情報送出部８０は、位置情報送出指示部８６から位置情報の送出が指示されると、位置情報抽出部８２によって位置履歴情報格納部５８から条件に該当する位置情報を抽出する（ステップＣ８）。
【０１２９】
例えば、位置情報送出要求受付部７９によって位置情報要求が受け付けられる際、位置情報抽出条件が共に指定されていた場合には、条件受付部５０によって受け付けられ条件格納部５２に設定されている。なお、位置情報抽出条件は、図１６に示す位置情報格納条件と同様の内容によって指定できるものとして詳細な説明を省略する。
【０１３０】
位置情報抽出部８２は、条件格納部５２に設定された位置情報抽出条件に従って位置情報を抽出して、位置情報送出部８４に通知する。
位置情報送出部８４は、位置情報抽出部８２によって抽出された位置情報を一括して、位置情報回答（５）（図１参照）として基地局１２に送出する（ステップＣ９）。
【０１３１】
このようにして、位置情報格納条件を設定することによって、所望する位置情報の履歴を位置履歴情報格納部５８に格納させることができる。また、位置情報送出条件を設定しておくことにより、送出要求時、一定時間毎、あるいは特定のボタン状態が通知された場合のように、所定のタイミングで位置履歴情報格納部５８に格納された位置情報を送出させることができる。さらに、位置情報抽出条件を設定することによって、所望する位置情報の履歴を一括して取得することができる。
【０１３２】
次に、位置履歴情報格納部５８の記憶容量を管理する位置情報容量管理処理について、図１８に示すフローチャートを参照しながら説明する。
【０１３３】
前述したように、位置情報格納処理によって移動局１０の位置履歴情報格納部５８には位置情報を履歴として順次格納させる。これに伴って空き容量が減少していくが、継続して位置情報の格納が可能となるように、先に格納された位置情報を無駄にすることなく空き容量を確保する。
【０１３４】
まず、条件受付部５０は、削除条件設定要求が受信されると（ステップＤ１）、指定された条件を条件格納部５２に設定する（ステップＤ２）。
【０１３５】
削除条件は、任意のタイミングによる情報処理装置２０から通知される指示、あるいはダイヤルボタン３７及び機能ボタン３８による操作によって入力される指示が条件受付部５０によって受け付けられることにより予め設定される。
【０１３６】
削除条件は、位置履歴管理部７０に設けられた複数の機能、すなわち位置情報削除部７２、位置情報圧縮部７４、一括送出削除部７６、格納保存削除部７８の何れを用いるかを示す指定である。何れか一つの機能を指定しても良いし、任意の組み合わせを指定しても良い。
【０１３７】
位置履歴管理部７０は、位置履歴情報格納部５８の空き容量を常に監視しており、残りの空き容量が予め設定されている所定値以下となった場合（ステップＤ３）、条件格納部５２に設定された削除条件を判別して（ステップＤ４）、設定されている削除条件に応じた機能を起動して位置履歴情報格納部５８に空き容量を確保する（ステップＤ５）。
【０１３８】
位置情報削除部７２が起動された場合、位置情報削除部７２は、位置履歴情報格納部５８に格納された位置情報の一部を条件に従って削除する。例えば、位置情報削除部７２は、図１２に示す格納時刻（ｃ）の情報を参照して、所定の空き容量が確保される分の古い位置情報を削除する。
【０１３９】
位置情報圧縮部７４が起動された場合、位置情報圧縮部７４は、位置履歴情報格納部５８に格納されている位置情報を、所定のデータ圧縮方式を用いてデータ圧縮し、例えば別ファイルとして位置履歴情報格納部５８に格納して、位置履歴情報格納部５８に空き容量を確保する（ステップＤ７）。
【０１４０】
このデータ圧縮されたデータは、情報送出部８０から送出される際に、伸張した上で送出しても良いし、データ圧縮したままの形式で送出し、位置情報管理システム１８の方で新調した上で処理するようにしても良い。この場合、位置情報管理システム１８において、位置情報圧縮部７４で用いられるデータ圧縮方式に対応するデータ伸張方式を用いてデータの伸張が行われる。こうして、データ圧縮したまま位置情報を送出することで通信効率も向上される。
【０１４１】
一括送出削除部７６が起動された場合、一括送出削除部７６は、位置履歴情報格納部５８に格納されている位置情報を情報送出部８０によって一括して基地局１２に送出させ（ステップＤ８）、送出が完了した後（ステップＤ９）、位置履歴情報格納部５８に格納されている位置情報を一括して削除する（ステップＤ１０）。
【０１４２】
この場合、条件格納部５２に設定された位置情報送出条件と関係なく強制的に基地局１２に送出させることで、先に位置履歴情報格納部５８に格納された位置情報を無駄にせず、有効に利用することができる。
【０１４３】
格納保存削除部７８が起動された場合、格納保存削除部７８は、移動局１０に記憶装置３５が接続されている場合（ステップＤ１１）、位置履歴情報格納部５８に格納されている位置情報を一括して記憶装置３５に格納し（ステップＤ１２）、その後、位置履歴情報格納部５８に格納されていた位置情報を一括して削除する（ステップＤ１３）。
【０１４４】
なお、格納保存削除部７８が起動されたにも関わらず、記憶装置３５が接続されていない場合には、他の機能（位置情報削除部７２、位置情報圧縮部７４、一括送出削除部７６）の何れかを起動させるものとする。
【０１４５】
このようにして、位置履歴情報格納部５８の空き容量を、所定値よりも常に確保することにより、継続して位置情報の履歴を位置履歴情報格納部５８に格納することができる。特に、位置情報圧縮部７４、一括送出削除部７６、格納保存削除部７８によれば、先に位置履歴情報格納部５８に格納された位置情報を無駄にすることなく利用できる。
【０１４６】
次に、位置情報管理システム１８における位置情報サービス処理について、図１９に示すフローチャートを参照しながら説明する。この位置情報サービス処理は、位置情報サービスプログラム９２ｂを実行することにより実現される。
【０１４７】
まず、情報処理装置２０より端末機位置情報要求（１）があった場合（ステップＥ１）、位置情報管理システム１８は、ＣＰＵ９０の制御のもと、通信ユニット９８からＰＨＳ網１４に対して位置情報要求（２）を送出する（ステップＥ２）。なお、情報処理装置２０から位置情報抽出条件が要求されていた場合には、その位置情報抽出条件の内容も送出する。
【０１４８】
位置情報要求（２）に対して位置情報回答（７）があった場合（ステップＥ３）、位置情報管理システム１８は、位置情報回答（７）によって得られた位置情報の履歴をもとに、各位置情報に対する位置（緯度経度）を求める（ステップＥ４）。
【０１４９】
すなわち、ＣＰＵ９０は、位置情報（基地局ＩＤ、電界強度）と、基地局データベース９５に格納された基地局情報（基地局の位置（緯度経度または住所）、基地局の送信電力、アンテナの設置高さ等）に基づいて現在位置（緯度経度）を算出する（ステップＥ４）。
【０１５０】
また、各位置情報に対する位置（緯度経度）をもとに移動経路を演算して求める（ステップＥ５）。すなわち、位置情報回答（７）によって時系列的な位置情報の履歴が取得されるので、各位置情報に基づいて算出された位置の変化をもとに移動局１０の移動経路を予測して求める。
【０１５１】
例えば、各位置情報から算出された位置（緯度経度）を接続した線としても表しても良いし、地図データベース９６に格納された地図情報をもとに道路などの位置に補正して、移動局１０の移動経路を決定しても良い。
【０１５２】
また、予め情報処理装置２０より地図上の特徴的な位置を移動局１０の移動先予定場所として登録しておくことによって（位置、住所、名称などの指定）、その指定された位置の近傍を移動局１０が通過した場合には、その登録された位置を経由したものとして経路を決定しても良い。
位置情報管理システム１８は、位置情報をもとにして求めた情報を、端末機位置情報回答（８）として位置情報要求の要求元である情報処理装置２０に対して送出する（ステップＥ６）。
【０１５３】
図２０には、位置情報管理システム１８から情報処理装置２０に対する端末機位置情報回答（８）のデータ形式の一例を示している。
図２０（ａ）は、位置情報をもとにして算出した位置（緯度経度）と、それぞれの格納時刻（ｃ）の情報を対応付けたものである。また、ボタン状態（ｇ）の情報が対応付けられている場合には、この情報も端末機位置情報回答（８）に含められる。
図２０（ｂ）は、（ステップＥ５）で求めた経路情報と、通過したと判断された登録場所を示す情報と、格納時刻（ｃ）を対応付けたものである。この経路情報は、地図表示上で表される。また、ボタン状態（ｇ）の情報が対応付けられている場合には、この情報も端末機位置情報回答（８）に含められる。
【０１５４】
図２０（ａ）（ｂ）に示すデータは、何れか一方が端末機位置情報回答（８）として情報処理装置２０に送信されても良いし、経路情報、登録場所情報が位置情報管理システム１８において得られる場合には、両方が情報処理装置２０に送信されるようにしても良い。この場合、重複する格納時刻（ｃ）とボタン状態（ｇ）の情報は、当然ながら何れか一方に付加されていれば良い。
【０１５５】
なお、位置情報管理システム１８は、位置情報回答（７）によって、移動局１０の情報算出部６２によって住所、位置、移動方向が算出され、これらの情報が取得できた場合には、この情報を所定のデータ形式に変換してそのまま端末機位置情報回答（８）に情報処理装置２０に送信することができる。
【０１５６】
次に、情報処理装置２０における位置情報検索処理について、図２１に示すフローチャートを参照しながら説明する。位置情報検索処理は、検索プログラム１０２ｃを実行することによって実現される。
【０１５７】
位置情報要求の送出が指示された場合に、それと共に位置情報抽出条件の設定要求があった場合（ステップＦ１）、情報処理装置２０は、入力装置１０８から入力された指示に応じて位置情報に対する位置情報抽出条件の設定を行なう（ステップＦ２）。
【０１５８】
その後、情報処理装置２０は、位置情報要求の送出指示に応じて、端末機位置情報要求（１）を位置情報管理システム１８に送信する（ステップＦ３）。
【０１５９】
この端末機位置情報要求（１）に対して、位置情報管理システム１８から端末機位置情報回答（８）があった場合（ステップＦ４）、情報処理装置２０は、端末機位置情報回答（８）によって取得された情報を位置情報格納領域１０２ｄに格納して保存する（ステップＦ５）。
【０１６０】
また、情報処理装置２０は、地図データベース１１２に格納された地図情報をもとに、表示装置１０６に地図を表示させると共に、受信した情報をもとに移動局１０の位置、移動経路、及びボタン状態に対応する行動内容等を表示する。
【０１６１】
図２２には、情報処理装置２０において表示される地図と移動局１０の位置、移動経路を表示した画面の一例を示している（図２０（ａ）（ｂ）に示す両方のデータが送信される場合）。
【０１６２】
図２２に示す一例では、図２０（ａ）の情報をもとに位置表示Ａとそれぞれに対応する時刻表示Ｂが表示されている。さらに、図２０（ｂ）に示す情報をもとに、移動局１０の位置表示Ａを結ぶ経路表示と共に登録場所情報に基づいて、移動局１０が通過したと判断された登録場所の名称を登録場所表示Ｄとして表示している。
【０１６３】
こうして、移動局１０からは位置情報の履歴を一括して取得できるので、単なる位置表示だけでなく、それらを接続した経路として表示することができる。なお、図２２に示す例では、位置を結んで経路としているのではなく、地図情報をもとにして道路を通過したものとして経路を補正している。また、予め指定された登録場所に対しては、その近くを通過したことが判別できる場合には、その登録場所を通過したものとして経路を決定している。
【０１６４】
図２３には、情報処理装置２０における別の表示形態の画面の一例を示している。
図２３に示す例では、図２０（ａ）（ｂ）の情報をもとに位置表示Ａ、経路表示Ｃ、さらに時刻と氏名と行動内容との統合表示Ｅが表示されている。
【０１６５】
氏名については、各移動局１０（専用移動端末機）の利用者名を登録しておくことで、何れの移動局１０（専用移動端末機）から取得した位置情報であるかに応じて、対応する利用者名を参照することで表示できる。
【０１６６】
また、行動内容については、図２０（ａ）に示す端末機位置情報回答によって取得されたボタン状態の情報をもとに、メモリ１０２のボタン設定格納領域１０２ｅに格納してあるボタン設定内容（図１０）を参照し、ボタンが押された時の行動内容が判別されて表示される。
【０１６７】
図２３に示す表示例では、図４（ｂ）に示す専用移動端末機を携帯しているものとすると、氏名「ＡＡＡＡ」の利用者が○○工場に到着した際に、「現地到着」の行動内容が割り当てられた第１ボタンが押されることによって、○○工場の近傍の位置情報とボタンが押された到着時刻に該当する「７時４０分１５秒」と、その行動内容「現地到着」が表示されることになる。同様にして、「７時５３分２５秒」に「作業開始」（第２ボタンに対する操作）（ただし、この内容は次の行動内容の表示に隠れて見えない状態）、「９時２１分０５秒」に「作業開始」（第３ボタンに対する操作）、「９時４３分５８秒」に「現地出発」（第４ボタンに対する操作）したことを表す統合表示Ｅが、それぞれの位置情報に該当する位置において表示される。
【０１６８】
また、図２３に示す表示例では、氏名「ＡＡＡＡ」の利用者についての表示だけでなく、利用者「ＢＢＢＢ」が携帯する移動局１０（専用移動端末機）から取得した端末機位置情報回答をもとにした表示も行っている。図２３には、利用者「ＢＢＢＢ」が「１０時０５分０９秒」に「現地到着」したことを表す統合表示Ｅがされている。また、位置表示に使用しているマークも、利用者「ＡＡＡＡ」に対する表示で用いたマークと異なるものを使用して、明確に区別できるようにしている。
【０１６９】
なお、図２２に示すように、地図上に取得した情報の内容を表すのではなく、位置情報の履歴の情報を一覧表示させることもできる。
【０１７０】
図２４には、位置情報の履歴の情報を利用して、例えば利用者「ＡＡＡＡ」（電話番号０７０××××××××）に関する勤務表として表示させた一例を示している。情報処理装置２０は、移動局１０（専用移動端末機）から取得した情報（図２０参照）をもとに、予め用意された勤務表のフォーマット、例えば図２４に示す例では行動時刻、行動内容、場所、住所の各項目が設けられたフォーマットの所定の位置に、それぞれに該当する情報の内容を表示させている。
【０１７１】
これにより、利用者「ＡＡＡＡ」の行動内容が、その行動時刻と場所及び住所と対応づけて簡単に参照することができる。従って、移動局１０（専用移動端末機）に格納されている情報をもとにして勤務表を自動作成することで、別途、勤務表を作成する場合に比較して大幅な作業負担の軽減が図れる。
【０１７２】
このようにして、移動局１０において位置情報を履歴として時系列的に格納しておき、条件に従って一括して基地局１２に対して送出させるので、移動局１０との回線を接続する回数を少なくすることができ通信費用を低減させることができる。
【０１７３】
また、一括して位置情報を取得することができることから、各位置情報をもとにして算出される移動局１０の位置を複数表示させるだけでなく、それらの連続性を持った変化として経路表示を行なうことができる。
【０１７４】
さらに、状態通知ボタン３７ａあるいは特定のボタン組み合わせに対する操作によって、行動内容をボタン状態の情報として移動局１０（専用移動端末機）に位置情報と共に格納しておき、位置情報と共に情報処理装置２０に受け渡すことができるので、情報処理装置２０において移動局１０（専用移動端末機）を携帯している利用者の行動内容を把握することができる。前述した説明では、専用移動端末機の状態通知ボタン３７ａとして設けられたボタンを５つとし、各ボタンに対して図１０に示す行動内容が設定されるものとしているが、ボタンの数やそれぞれのボタンに対して割り当てる行動内容などの特定の状況については任意に決めることができる。
【０１７５】
なお、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【０１７６】
【発明の効果】
以上詳述したように本発明によれば、移動端末機に位置情報を履歴として時系列的に格納し、一括して送出するようにしたので、複数にわたって位置情報を取得する必要がなく、これにより移動端末機と回線を接続する必要回数が低減されるので、移動端末機の位置情報の履歴を簡単かつ通信コストを増大させることなく取得することが可能となるものである。また、移動端末機がおかれている状況を表す情報についても、位置情報とともに取得することができる。
【図面の簡単な説明】
【図１】本実施形態に係わる位置情報検索システムのシステム構成を示すブロック図。
【図２】移動局１０のシステム構成を示すブロック図。
【図３】図２中に示す通信機能部３２の詳細な構成を示すブロック図。
【図４】専用移動端末機の外観構成を示す図。
【図５】専用移動端末機のシステム構成を示すブロック図。
【図６】図２に示すシステム構成において実現される機能構成を示すブロック図。
【図７】位置情報管理システム１８のシステム構成を示すブロック図。
【図８】情報処理装置２０のシステム構成を示すブロック図。
【図９】情報処理装置２０において実行される位置情報管理システム１８を利用するための初期設定処理について説明するフローチャート。
【図１０】専用移動端末機に設けられた状態通知ボタン３７ａの各ボタンに対して設定されたボタン設定内容の一例を示す図。
【図１１】位置情報格納処理について説明するためのフローチャート。
【図１２】位置履歴情報格納部５８に格納される情報の内容を説明するための図。
【図１３】移動局１０による基地局ＩＤと電界強度の情報の取得の様子を示す図。
【図１４】移動局１０が異なる基地局１２の通信エリアを通過する例を示す図。
【図１５】位置情報格納処理について説明するためのフローチャート。
【図１６】条件格納部５２に格納される位置情報格納条件の具体的な内容を示す図。
【図１７】移動局１０から位置情報を送出させる位置情報送出処理について説明するためのフローチャート。
【図１８】位置履歴情報格納部５８の記憶容量を管理する位置情報容量管理処理について説明するためのフローチャート。
【図１９】位置情報管理システム１８における位置情報サービス処理について説明するためのフローチャート。
【図２０】位置情報管理システム１８から情報処理装置２０に対する端末機位置情報回答（８）のデータ形式の一例を示す図。
【図２１】情報処理装置２０における位置情報検索処理について説明するためのフローチャート。
【図２２】情報処理装置２０に置いて表示される地図と移動局１０の位置、及び移動経路を表示した画面の一例を示す図。
【図２３】情報処理装置２０における別の表示形態の画面の一例を示す図。
【図２４】位置情報の履歴の情報を利用して作成した勤務表の一例を示す図。
【符号の説明】
１０…移動局
１２…基地局
１４…ＰＨＳ網
１６…公衆網
１８…位置情報管理システム
２０…情報処理装置
３０…ＣＰＵ
３１…メモリ
３２…通信機能部
３３…スピーカ／マイク
３５，１０４…記憶装置
３５ａ，１０４ａ…可搬型記憶媒体
３６，１０６…表示装置
３７…ダイヤルボタン
３８…機能ボタン
３９…ＲＴＣ
４０…アンテナ
４１…受信回路
４２…復調回路
４３…ＩＤ検出回路
４４…電界強度測定回路
４５…制御回路
４６…送信回路
４７…変調回路
４８…送信信号生成回路
５０…条件受付部
５２…条件格納部
５４…位置情報取得部
５６…位置情報格納部
５８…位置履歴情報格納部
６０…時刻取得部
６２…情報算出部
６４…移動方向算出部
６５…住所算出部
６６…地図情報格納部
６８…位置算出部
６９…基地局情報格納部
７０…位置履歴管理部
７２…位置情報削除部
７４…位置情報圧縮部
７６…一括送出削除部
７８…格納保存削除部
７９…位置情報送出要求受付部
８０…情報送出部
８２…位置情報抽出部
８４…位置情報送出部
８６…位置情報送出指示部
８８…時間計時部
９４…端末機データベース
９５…基地局データベース
９６，１１２…地図データベース
９８，１１０…通信ユニット
１０８…入力装置
【図１】
0004309517.tif 000002
【図２】
0004309517.tif 000003
【図３】
0004309517.tif 000004
【図４】
0004309517.tif 000005
【図５】
0004309517.tif 000006
【図６】
0004309517.tif 000007
【図７】
0004309517.tif 000008
【図８】
0004309517.tif 000009
【図９】
0004309517.tif 000010
【図１０】
0004309517.tif 000011
【図１１】
0004309517.tif 000012
【図１２】
0004309517.tif 000013
【図１３】
0004309517.tif 000014
【図１４】
0004309517.tif 000015
【図１５】
0004309517.tif 000016
【図１６】
0004309517.tif 000017
【図１７】
0004309517.tif 000018
【図１８】
0004309517.tif 000019
【図１９】
0004309517.tif 000020
【図２０】
0004309517.tif 000021
【図２１】
0004309517.tif 000022
【図２２】
0004309517.tif 000023
【図２３】
0004309517.tif 000024
【図２４】
0004309517.tif 000025